(57)【特許請求の範囲】
【請求項１】
話者位置で収音された音声である話者位置音声と、話者音声をマスキングするために放音されるマスカ音と、前記話者音声をマスキングすべき領域で収音された音声であるマスキング位置音声と、を用いて、前記マスキングすべき領域での話者音声である判定用話者音声と、前記マスキングすべき領域でのマスカ音である判定用マスカ音と、を抽出する抽出部と、
前記判定用話者音声と前記判定用マスカ音とを比較し、マスキングがされているかどうかを分析する音声分析部と、を備えたマスカ音測定装置。
【請求項２】
請求項１に記載のマスカ音測定装置であって、
前記音声分析部は、
前記判定用話者音声と前記判定用マスカ音とを、所定の周波数成分毎に比較し、全ての周波数成分において、前記判定用マスカ音が前記判定用話者音声に対して所定音量レベル以上である場合に、マスキングされていると判断する、マスカ音測定装置。
【請求項３】
請求項２に記載のマスカ音測定装置であって、
前記音声分析部は、
前記全ての周波数成分において、前記判定用マスカ音が前記判定用話者音声に対して所定音量レベル以上で且つ所定の音量レベル範囲内である場合に、適切にマスキングされていると判断する、マスカ音測定装置。
【請求項４】
請求項１乃至請求項３のいずれかに記載のマスカ音測定装置であって、
前記抽出部は、
前記話者位置音声が入力される第１適応型フィルタと、該第１適応型フィルタによりフィルタ処理された話者位置音声を前記マスキング位置音声から減算し、第１減算信号を前記第１適応型フィルタへフィードバックする第１ポストプロセッサとで構成され、前記フィルタ処理された話者位置音声を前記判定用話者音声として出力する判定用話者音声抽出部と、
前記マスカ音が入力される第２適応型フィルタと、該第２適応型フィルタによりフィルタ処理されたマスカ音を前記マスキング位置音声から減算し、第２減算信号を前記第２適応型フィルタへフィードバックする第２ポストプロセッサとで構成され、前記フィルタ処理されたマスカ音を前記判定用マスカ音として出力する判定用マスカ音抽出部と、
を備える、マスカ音測定装置。
【請求項５】
請求項１乃至請求項４のいずれかに記載のマスカ音測定装置であって、
前記話者位置音声を収音する話者位置マイクと、
前記マスキング位置音声を収音するマスキング位置マイクと、
前記マスカ音を生成するマスカ音生成部と、を備えたマスカ音測定装置。
【請求項６】
請求項１乃至請求項５のいずれかに記載のマスカ音測定装置であって、
前記音声分析部による分析結果を通知する通知部を備えた、マスカ音測定装置。
【請求項７】
請求項１乃至請求項６のいずれかに記載のマスカ音測定装置と、
前記音声分析部による分析結果から適正な音量レベルのマスカ音が放音されるように設定された放音パラメータによって前記マスカ音の音量レベルを調整するマスカ音調整部と、
調整後のマスカ音を放音するスピーカと、を備えたサウンドマスキング装置。
【発明の詳細な説明】
【技術分野】
【０００１】
本発明は、特定話者の音声を第三者が聞き取り難くするためのマスカ音を発生するサウンドマスキングシステムに関し、特にマスカ音の測定に関するものである。
【背景技術】
【０００２】
従来、特定話者の音声を、第三者に聞き取り難くするサウンドマスキングの技術が各種考案されている。当該サウンドマスキングシステムの類似技術として、特許文献１では、聴者に必要な周囲音を聞かせるために、オーディオ装置の再生音の周波数特性を調整する技術が開示されている。
【０００３】
そして、サウンドマスキングシステムの場合、特定話者音声を第三者に聞き取り難くするためにマスカ音を放音するが、これを類似技術に当てはめれば、当該マスカ音を、特定話者音声に基づいて調整することになる。
【先行技術文献】
【特許文献】
【０００４】
【特許文献１】特開２００８−２２８１９８号公報
【発明の概要】
【発明が解決しようとする課題】
【０００５】
しかしながら、従来のサウンドマスキングシステムでは、第三者が特定話者音声を本当に聞き取れていないようにマスカ音を放音できているかを、判断することができない。また、マスカ音の総音量レベルおよび周波数特性が適切であるかについても、判断することができない。
【０００６】
したがって、本発明の目的は、マスカ音を測定することができるマスカ音測定装置を実現することにある。
【課題を解決するための手段】
【０００７】
この発明は、マスキングすべき領域で特定話者の音声（話者音声）を聞き取り難くするためのマスカ音を測定するマスカ音測定装置に関する。マスカ音測定装置は、抽出部および音声分析部を備える。抽出部は、話者位置で収音された話者位置音声と、話者音声をマスキングするために放音されるマスカ音と、話者音声をマスキングすべき領域で収音されたマスキング位置音声と、を用いて、マスキングすべき領域での話者音声である判定用話者音声と、マスキングすべき領域でのマスカ音である判定用マスカ音と、を抽出する。音声分析部は、判定用話者音声と判定用マスカ音とを比較し、マスキングがされているかどうかを分析する。
【０００８】
この構成では、話者音声とマスカ音とが聞こえるマスキングすべき領域における話者音声およびマスカ音が、個別に抽出される。すなわち、外部環境の影響を除去して、マスキングすべき領域で聞こえる話者音声のみの成分と、マスキングすべき領域で聞こえるマスカ音のみの成分とが個別に抽出される。したがって、マスキングすべき領域でのマスカ音の音量レベルと話者音声の音量レベルを正確に比較できる。これにより、マスキングすべき領域において、マスカ音の音量レベルが話者音声の音量レベルよりも高いかどうか、すなわち話者音声がマスキングされているかどうかを、正確に判断できる。
【０００９】
また、この発明のマスカ音測定装置の音声分析部は、判定用話者音声と判定用マスカ音とを、所定の周波数成分毎に比較し、全ての周波数成分において、判定用マスカ音が判定用話者音声に対して所定音量レベル以上である場合に、マスキングされていると判断する。
【００１０】
この構成では、マスキング効果の判断基準を示しており、マスキングすべき領域においてマスカ音（判定用マスカ音）の音量レベルが話者音声（判定用話者音声）の音量レベルよりも高ければ、話者音声は聞こえにくくなるので、マスキング効果があるものと判断する。
【００１１】
また、この発明のマスカ音測定装置の音声分析部は、全ての周波数成分において、判定用マスカ音が判定用話者音声に対して所定音量レベル以上で且つ所定の音量レベル範囲内である場合に、適切にマスキングされていると判断する。
【００１２】
この構成では、適切なマスキング効果の判断基準を示しており、マスカ音（判定用マスカ音）の音量レベルが話者音声（判定用話者音声）の音量レベルよりも所定レベル以上で且つ所定の音量レベル範囲内である場合に、適切なマスキングが行われていると判断する。
【００１３】
また、この発明のマスカ音測定装置の抽出部は、判定用話者音声抽出部と判定用マスカ音抽出部とを備える。判定用話者音声抽出部は、話者位置音声が入力される第１適応型フィルタと、該第１適応型フィルタによりフィルタ処理された話者位置音声をマスキング位置音声から減算し、第１減算信号を第１適応型フィルタへフィードバックする第１ポストプロセッサとで構成される。判定用話者音声抽出部は、フィルタ処理された話者位置音声を判定用話者音声として出力する。判定用マスカ音抽出部は、マスカ音が入力される第２適応型フィルタと、該第２適応型フィルタによりフィルタ処理されたマスカ音をマスキング位置音声から減算し、第２減算信号を第２適応型フィルタへフィードバックする第２ポストプロセッサとで構成される。判定用マスカ音抽出部は、フィルタ処理されたマスカ音を判定用マスカ音として出力する。
【００１４】
この構成では、抽出部の具体的実現例を示している。このように、適応型フィルタを用いることで、話者音声がマスキングすべき領域に到達するまでの伝達関数と、マスカ音がマスキングすべき領域に到達するまでの伝達関数を、正確に取得できる。そして、これらの伝達関数を用いることで、マスキングすべき領域における話者音声（判定用話者音声）およびマスカ音（判定用マスカ音）を正確に抽出することができる。
【００１５】
また、この発明のマスカ音測定装置は、話者位置音声を収音する話者位置マイクと、マスキング位置音声を収音するマスキング位置マイクと、マスカ音を生成するマスカ音生成部と、を備える。この構成では、マスカ音測定装置を具体的に設置する場合の構成例を示している。
【００１６】
また、この発明のマスカ音測定装置では、音声分析部による分析結果を通知する通知部を備えている。この構成では、分析結果すなわちマスキング効果が有効であるか無効であるかを、話者に通知することができる。
【００１７】
また、この発明は、上述のいずれかに記載のマスカ音測定装置を備えるサウンドマスキング装置に関する。サウンドマスキング装置は、マスカ音測定装置とともに、音声分析部による分析結果から適正な音量レベルのマスカ音が放音されるように設定された放音パラメータによってマスカ音の音量レベルを調整するマスカ音調整部と、調整後のマスカ音を放音するスピーカと、を備える。
【００１８】
この構成では、有効なマスキングを行えるように、放音されるマスカ音を調整することができる。すなわち、マスキング効果の分析結果に応じて適応的にマスカ音を調整して放音することができる。
【発明の効果】
【００１９】
この発明によれば、マスキングすべき領域で話者音声がマスカ音によりマスキングされているかどうかを、判定することができる。これにより、話者は、自分達の会話が第三者に対して聞き取り難いようにマスキングされているかどうかを、正確に把握することができる。
【図面の簡単な説明】
【００２０】
【図１】第１の実施形態に係るサウンドマスキング装置１の概略的な設置構成図である。
【図２】第１の実施形態に係るサウンドマスキング装置１の構成を示すブロック図である。
【図３】マスキング効果の有無の判定および当該判定結果に基づくマスカ音のパラメータ設定および調整の処理フローを示すフローチャートである。
【図４】マスカ音の音量レベルと話者音声の音量レベルの周波数特性の関係を示す図である（適切な場合）。
【図５】マスカ音の音量レベルと話者音声の音量レベルの周波数特性の関係を示す図である（マスカ音が高すぎる場合）。
【図６】マスカ音の音量レベルと話者音声の音量レベルの周波数特性の関係を示す図である（マスカ音が低すぎる場合）。
【図７】マスカ音の音量レベルと話者音声の音量レベルの周波数特性の関係を示す図である（マスカ音が特定の周波数で低すぎる場合）。
【図８】第２の実施形態に係るサウンドマスキング装置１Ａの概略的な設置構成図である。
【図９】第２の実施形態に係るサウンドマスキング装置１Ａの構成を示すブロック図である。
【発明を実施するための形態】
【００２１】
本発明の第１の実施形態に係るマスカ音測定部（マスカ音測定装置）を備えるサウンドマスキング装置について、図を参照して説明する。図１は本実施形態に係るサウンドマスキング装置１の概略的な設置構成図である。図２は本実施形態に係るサウンドマスキング装置１の構成を示すブロック図である。
【００２２】
本実施形態のサウンドマスキング装置１は、第三者が特定話者の話し声を聞き取れるような状況で利用される。例えば、図１では、カウンター９００によって仕切られたブースに特定話者９１０、９２０が在席している。カウンター９００から所定距離離間した位置には第三者９３０が在席している。このような状況において、特定話者９１０，９２０の会話が第三者９３０に聞こえにくくするように、マスカ音Ｓｍｏを放音する。
【００２３】
サウンドマスキング装置１は、本体２、話者位置マイクＭＩＣｂ、マスキング位置マイクＭＩＣｏ、スピーカＳＰ、表示部４０を備える。
【００２４】
話者位置マイクＭＩＣｂは、カウンター９００のテーブル９０１上に設置されており、本体２に接続されている。話者位置マイクＭＩＣｂは、特定話者９１０，９２０の会話を収音し、この収音信号である話者位置音声信号Ｓｂを本体２へ出力する。
【００２５】
スピーカＳＰは、カウンター９００の近傍に設置されており、本体２に接続されている。スピーカＳＰは、マスカ音のコンテンツデータをデコードし、後述する方法で調整する（必要でなければ調整を行わない）ことにより得られるマスカ音信号Ｓｍｏを放音する。なお、以下では、スピーカＳＰから放音されるマスカ音信号Ｓｍｏを調整の有無に関係なく、調整後マスカ音信号Ｓｍｏと称する。この際、スピーカＳＰは、調整後マスカ音信号Ｓｍｏを、第三者９３０が在席する領域を含むマスキングを行いたい領域に向けて放音する。なお、スピーカＳＰは本体２と一体型であってもよく、この場合、スピーカＳＰ内蔵の本体２を、カウンター９００の近傍に設置する。
【００２６】
マスキング位置マイクＭＩＣｏは、第三者９３０の在席する領域を含むマスキングを行いたい領域内に設置されており、本体２に接続されている。マスキング位置マイクＭＩＣｏは、設置領域での音を収音し、この収音信号であるマスキング位置音声信号Ｓｏを本体２へ出力する。
【００２７】
表示部４０は、表示灯や液晶ディスプレイ等から構成され、本体２に接続されている。表示部４０は、後述する方法で判定されたマスキング効果に応じて点灯や特定の表示を行う。なお、表示部４０は話者位置マイクＭＩＣｂと一体型であっても構わない。
【００２８】
次に、マスキング効果の判定を行う本体２の構成について説明する。図２に示すように、本体２は、本発明の「マスカ音測定装置」に対応するマスカ音測定部１０、マスカ音生成部２０、マスカ音記憶部２１、およびマスカ音調整部３０を備える。
【００２９】
マスカ音記憶部２１には、各種のマスカ音、例えば、人の声から作成した雑踏音等の攪乱音と、川の流れる音、海の波の音、鳥のさえずり等の背景音とを組み合わせてなるマスカ音コンテンツデータが記憶されている。マスカ音生成部２０は、図示しない操作部による操作入力等に応じて、適宜、マスカ音コンテンツデータを読み出し、マスカ音（原マスカ音）信号Ｓｍを生成する。原マスカ音信号Ｓｍは、マスカ音測定部１０およびマスカ音調整部３０へ出力される。
【００３０】
マスカ音測定部１０は、適応型フィルタ１１１，１１２、ポストプロセッサ１２１，１２２、音声分析部１３０を備える。
【００３１】
適応型フィルタ１１１は、本発明の「第１適応型フィルタ」に対応し、話者位置音声信号Ｓｂが入力される。
【００３２】
ポストプロセッサ１２１は、本発明の「第１ポストプロセッサ」に対応し、マスキング位置音声信号Ｓｏが入力される。ポストプロセッサ１２１は、適応型フィルタ１１１でフィルタ処理された話者位置音声信号Ｓｂを、マスキング位置音声信号Ｓｏから減算し、第１減算信号Ｓｎ１を出力する。第１減算信号Ｓｎ１は、ポストプロセッサ１２２に入力されるとともに、適応型フィルタ１１１へフィードバックされる。
【００３３】
適応型フィルタ１１１は、第１減算信号Ｓｎ１に話者位置音声信号Ｓｂが含まれないようにフィルタ係数を適応していくフィルタである。すなわち、マスカ音と話者音声とが混在するマスキングすべき領域における音声から、話者音声のみを抑圧するようにフィルタ係数を適応させるフィルタである。
【００３４】
このような処理を行うことで、フィルタ処理後の話者位置音声信号Ｓｂは、話者位置からマスキングすべき領域までの話者音声の伝達特性に依存する音声信号となるので、フィルタ処理後の話者位置音声信号Ｓｂは、マスキングすべき領域に到達した話者音声を示す話者音声信号Ｓｂｃと同等になる。
【００３５】
適応型フィルタ１１１は、このように算出された話者音声信号Ｓｂｃ（本発明の「判定用話者音声」に対応する。）を、上述のようにポストプロセッサ１２１へ出力するとともに、音声分析部１３０へ出力する。
【００３６】
このように、上述の構成からなる適応型フィルタ１１１とポストプロセッサ１２１とを用いることで、マスキングすべき領域に到達した話者音声信号Ｓｂｃを抽出することができる。なお、これら適応型フィルタ１１１とポストプロセッサ１２１とが本発明の「判定話者音声抽出部」に対応する。
【００３７】
適応型フィルタ１１２は、本発明の「第２適応型フィルタ」に対応し、原マスカ音信号Ｓｍが入力される。
【００３８】
ポストプロセッサ１２２は、本発明の「第２ポストプロセッサ」に対応し、第１減算信号Ｓｎ１が入力される。ポストプロセッサ１２２は、適応型フィルタ１１２でフィルタ処理された原マスカ音信号Ｓｍを、第１減算信号Ｓｎ１から減算し、第２減算信号Ｓｎ２を出力する。第２減算信号Ｓｎ２は、適応型フィルタ１１２へフィードバックされる。
【００３９】
適応型フィルタ１１２は、第２減算信号Ｓｎ２に原マスカ音信号Ｓｍが含まれないようにフィルタ係数を適応していくフィルタである。すなわち、マスカ音と話者音声とが混在するマスキングすべき領域における音声から話者音声を抑圧した状態で、さらにマスカ音のみを抑圧するようにフィルタ係数を適応させるフィルタである。
【００４０】
このような処理を行うことで、フィルタ処理後の原マスカ音信号Ｓｍは、スピーカＳｐの設置位置からマスキングすべき領域までのマスカ音の伝達特性に依存する音声信号となるので、フィルタ処理後の原マスカ音信号Ｓｍは、マスキングすべき領域に到達したマスカ音信号Ｓｍｃと同等になる。
【００４１】
適応型フィルタ１１２は、このように算出されたマスカ音信号Ｓｍｃ（本発明の「判定用マスカ音」に対応する。）を、上述のようにポストプロセッサ１２２へ出力するとともに、音声分析部１３０へ出力する。
【００４２】
このように、上述の構成からなる適応型フィルタ１１２とポストプロセッサ１２２とを用いることで、マスキングすべき領域に到達したマスカ音信号Ｓｍｃを抽出することができる。なお、これら適応型フィルタ１１２とポストプロセッサ１２２とが本発明の「判定マスカ音抽出部」に対応する。
【００４３】
音声分析部１３０は、判定用の話者音声信号Ｓｂｃと判定用のマスカ音信号Ｓｍｃとを比較し、音量レベルの高低に基づいてマスキング効果の有無を判定する。具体的には、次に示すフローのＳ１０４から以降のフローにより、マスキング効果の有無を判定する。
【００４４】
図３は、マスキング効果の有無の判定および当該判定結果に基づくマスカ音のパラメータ設定および調整の処理フローを示すフローチャートである。図４、図５、図６、図７はマスカ音の音量レベルと話者音声の音量レベルの周波数特性の関係を示す図である。図４はマスカ音の音量レベルが適切な場合を示し、実線が判定用のマスカ音信号Ｓｍｃを示し、破線が判定用の話者音声信号Ｓｂｃを示す。
【００４５】
図５はマスカ音の音量レベルが全周波数帯域において高すぎる場合を示し、二点鎖線が未調整の判定用のマスカ音信号Ｓｍｃを示し、破線が判定用の話者音声信号Ｓｂｃを示し、実線が調整後のマスカ音信号Ｓｍｏを示す。図５（Ａ）は調整前の周波数特性を示し、図５（Ｂ）は調整後の周波数特性および調整概念を示す。
【００４６】
図６はマスカ音の音量レベルが全周波数帯域において低い場合を示し、二点鎖線が未調整の判定用のマスカ音信号Ｓｍｃを示し、破線が判定用の話者音声信号Ｓｂｃを示し、実線が調整後のマスカ音信号Ｓｍｏを示す。図６（Ａ）は調整前の周波数特性を示し、図６（Ｂ）は調整後の周波数特性および調整概念を示す。
【００４７】
図７はマスカ音の音量レベルが周波数領域において部分的に低い場合を示し、二点鎖線が未調整の判定用のマスカ音信号Ｓｍｃを示し、破線が判定用の話者音声信号Ｓｂｃを示し、実線が調整後のマスカ音信号Ｓｍｏを示す。図７（Ａ）は調整前の周波数特性を示し、図７（Ｂ）は調整後の周波数特性および調整概念を示す。
【００４８】
まず、スピーカＳＰからマスカ音が放音されると（Ｓ１０１）、上述のように、話者位置マイクＭＩＣｂで話者位置音声信号Ｓｂを取得し、マスキング位置マイクＭＩＣｏでマスキング位置音声信号Ｓｏを取得する（Ｓ１０２）。なお、マスカ音の放音開始は、例えば、サウンドマスキング装置１の電源オンに応じて行ってもよいし、所定の操作入力や話者位置マイクＭＩＣｂによる所定音量レベルの検出をトリガにして行ってもよい。
【００４９】
次に、上述のように、判定用の話者音声信号Ｓｂｃと判定用のマスカ音信号Ｓｍｃを抽出する（Ｓ１０３）。
【００５０】
次に、音声分析部１３０は、判定用の話者音声信号Ｓｂｃと判定用のマスカ音信号Ｓｍｃとを、ＦＦＴ処理等により周波数解析し、それぞれの信号に対して各周波数成分を取得する。音声分析部１３０は、判定用の話者音声信号Ｓｂｃと判定用のマスカ音信号Ｓｍｃとに対して、周波数成分毎に音量レベルの比較を行う（Ｓ１０４）。
【００５１】
音声分析部１３０は、全周波数成分において、判定用のマスカ音信号Ｓｍｃの音量レベルが判定用の話者音声信号Ｓｂｃの音量レベルより高いかどうかを判定する。この際、音声分析部１３０は、判定用のマスカ音信号Ｓｍｃの音量レベルが判定用の話者音声信号Ｓｂｃの音量レベルにマージンＭｓを加算した音量レベル以上であるかどうかにより、判定を行う。このマージンＭｓは、予め実験的に算出された値であり、例えば約６［ｄＢ］に設定されている。なお、このマージンＭｓは、状況に応じて適宜調整することもできる。
【００５２】
音声分析部１３０は、図４や図５で示すように、全周波数成分において、判定用のマスカ音信号Ｓｍｃの音量レベルが判定用の話者音声信号ＳｂｃにマージンＭｓを加算した音量レベル以上であれば（Ｓ１０５：Ｙｅｓ）、マスキング効果が有効であると判断し、ステップＳ１０６へ移行する。
【００５３】
具体的には、図４に示すように、各周波数（ｆ１−ｆ９）の判定用のマスカ音信号Ｓｍｃの音量レベルから判定用の話者音声信号Ｓｂｃの音量レベルを減算した値（Ｇｆ１−Ｇｆ９）がマージンＭｓ以上である場合や、図５（Ａ）に示すように、各周波数（ｆ１−ｆ９）の判定用のマスカ音信号Ｓｍｃの音量レベルから判定用の話者音声信号Ｓｂｃの音量レベルを減算した値（Ｇｆ１１−Ｇｆ９１）がマージンＭｓより大きな場合に、マスキング効果が有効であると判断する。
【００５４】
一方で、音声分析部１３０は、図６、図７に示すように、少なくとも一つの周波数成分において、判定用のマスカ音信号Ｓｍｃの音量レベルが判定用の話者音声信号Ｓｂｃの音量レベルにマージンＭｓを加算した音量レベルよりも低ければ（Ｓ１０５：Ｎｏ）、現状ではマスキング効果が有効でないと判断し、ステップＳ１０７の処理へ移行する。
【００５５】
具体的には、図６（Ａ）に示すように、各周波数（ｆ１−ｆ９）の判定用のマスカ音信号Ｓｍｃの音量レベルから判定用の話者音声信号Ｓｂｃの音量レベルを減算した値（Ｇｆ１２−Ｇｆ９２）が負の値となる場合（マージンＭｓより小さな場合）や、図７（Ａ）に示すように、一部の周波数（ｆ１−ｆ５）の判定用のマスカ音信号Ｓｍｃの音量レベルから判定用の話者音声信号Ｓｂｃの音量レベルを減算した値（Ｇｆ１３−Ｇｆ５３）が負の値となる場合（マージンＭｓより小さな場合）に、マスキング効果が有効でないと判断する。
【００５６】
マスキング効果があると判断した場合（Ｓ１０５：Ｙｅｓ）、音声分析部１３０は、判定用のマスカ音信号Ｓｍｃの音量レベルが適切な音量レベル範囲内にあるかを判定する。より具体的には、音声分析部１３０は、各周波数（ｆ１，ｆ２，・・・，ｆ９）において、判定用のマスカ音信号Ｓｍｃの音量レベルが、判定用の話者音声信号Ｓｂｃの音量レベルとマージンＭｓとの加算レベルを下限として、レベル範囲Ｗｍ内にあるかどうかを判定する。このレベル範囲Ｗｍも実験等によって、マスカ音の音量レベルが必要以上に高くないと感じる範囲、すなわち、うるさすぎないと感じられる範囲に設定されており、図示しない操作部を用いた操作入力等によって適宜後から調整も可能である。
【００５７】
音声分析部１３０は、図４に示すように、全ての周波数成分（ｆ１−ｆ９）で、判定用のマスカ音信号Ｓｍｃの音量レベルが適切な範囲内であると判断すると（Ｓ１０６：Ｙｅｓ）、原マスカ音信号Ｓｍの放音パラメータの変更を行わず、放音パラメータの変更指示を出力しない。
【００５８】
音声分析部１３０は、少なくとも一つの周波数成分において、判定用のマスカ音信号Ｓｍｃの音量レベルが適切な範囲内にはないと判断すると（Ｓ１０６：Ｎｏ）、ステップＳ１０８の処理へ移行する。
【００５９】
説明をステップＳ１０５に戻し、マスキング効果が有効でないと判断した場合（Ｓ１０５：Ｎｏ）、音声分析部１３０は、現在設定されている放音パラメータを読み出し、音量レベルが上限まで達しているかどうかを検出する。音声分析部１３０は、現在の放音パラメータが上限の音量レベルまで達していれば（Ｓ１０７：Ｙｅｓ）、マスカ音の音量レベルが上限であること、およびこのままではマスキング効果が有効ではないことを、表示部４０を介して通知する（Ｓ１１２）。
【００６０】
一方、音声分析部１３０は、現在の放音パラメータが上限の音量レベルでなければ（Ｓ１０７：Ｎｏ）、ステップＳ１０８の処理へ移行する。
【００６１】
ステップＳ１０８において、音声分析部１３０は、全周波数成分において、判定用のマスカ音信号Ｓｍｃの音量レベルが適切な範囲内にはないと判断すると（Ｓ１０８：Ｙｅｓ）、全周波数成分に同様に音量レベルを調整するボリューム調整を行う（Ｓ１０９）。具体的には、図５（Ｂ）に示すように、全ての周波数成分で判定用のマスカ音信号Ｓｍｃの音量レベルが高い場合には、全ての周波数成分で音量レベルを低下させる。この際、調整後の音量レベルの差（Ｇｆ１１Ｃ−Ｇｆ９１Ｃ）が、上述のレベル範囲Ｗｍ内に収まるように、ボリューム調整を行う。また、図６（Ｂ）に示すように、全ての周波数成分で判定用のマスカ音信号Ｓｍｃの音量レベルが低い場合には、全ての周波数成分に対して音量レベルを向上させる。この際、調整後の音量レベルの差（Ｇｆ１２Ｃ−Ｇｆ９２Ｃ）が、上述のレベル範囲Ｗｍ内に収まるように、ボリューム調整を行う。
【００６２】
音声分析部１３０は、全周波数成分がレベル範囲Ｗｍ内に調整できていると判断すると（Ｓ１１１：Ｙｅｓ）、当該ボリュームパラメータＰｖを放音パラメータとして、マスカ音調整部３０へ出力する。
【００６３】
一方、音声分析部１３０は、全周波数成分がレベル範囲Ｗｍ内に調整できていないと判断すると（Ｓ１１１：Ｎｏ）、ステップＳ１１０へ移行する。
【００６４】
音声分析部１３０は、特定の周波数成分がレベル範囲Ｗｍ内に入っていない場合（Ｓ１０８：Ｎｏ）、当該特定周波数の音量レベルがレベル範囲Ｗｍ内に入るようにイコライジングパラメータＰｅを設定し（Ｓ１１０）、当該イコライジングパラメータＰｅとこの際のボリュームパラメータＰｖとを放音パラメータとして、マスカ音調整部３０へ出力する。
【００６５】
具体的には、例えば、図７（Ｂ）に示すように、周波数成分（ｆ１−ｆ５）で判定用のマスカ音信号Ｓｍｃの音量レベルが低い場合には、当該周波数成分（ｆ１−ｆ５）に対して音量レベルを向上させるイコライジング処理を行う。この際、調整後の音量レベルの差（Ｇｆ１３Ｃ−Ｇｆ５３Ｃ）が、上述のレベル範囲Ｗｍ内に収まるように、ボリューム調整を行う。
【００６６】
マスカ音調整部３０は、イコライジング部３０１とボリューム調整部３０２とからなる。イコライジング部３０１は、放音パラメータのイコライジングパラメータＰｅに準じて、原マスカ音信号Ｓｍの特定周波数成分の音量レベルを調整するイコライジング処理を行う。ボリューム調整部３０２は、放音パラメータのボリュームパラメータＰｖに基づいて、イコライジング処理後の原マスカ音信号Ｓｍの全周波数成分の音量レベルを調整するボリューム調整処理を行う。調整後マスカ音信号Ｓｍｏは、スピーカＳＰへ出力され、当該スピーカＳＰから放音される。
【００６７】
以上のような処理を行うことで、マスカ音により話者音声がマスキングされているかどうかを、正確に判定することができる。さらに、当該判定結果に基づいて、話者音声を確実にマスキングできるマスカ音を放音することができる。さらに、当該マスカ音が最適なレベルで放音されるように、自動で調整することができる。これにより、第三者等に不快感を与えることなく、話者音声を確実にマスキングすることができる。
【００６８】
次に、第２の実施形態に係るサウンドマスキング装置１Ａについて、図を参照して説明する。本実施形態のサウンドマスキング装置１Ａは、第１の実施形態のサウンドマスキング装置１と異なり、複数の話者位置音声信号Ｓｂ１，Ｓｂ２、複数のマスキング位置音声信号Ｓｏ１，Ｓｏ２，Ｓｏ３が入力される。図８は本実施形態に係るサウンドマスキング装置１Ａの概略的な設置構成図である。図９は本実施形態に係るサウンドマスキング装置１Ａの構成を示すブロック図である。
【００６９】
なお、本実施形態に示すサウンドマスキング装置１Ａのマスカ音調整部３０Ａは、第１の実施形態に示したマスカ音調整部３０と同様にイコライジング部およびボリューム調整部を備えており、同様の処理を行うため、詳細な機能ブロックの図示および処理の説明については、省略する。
【００７０】
サウンドマスキング装置１Ａは、本体２Ａ、話者位置マイクＭＩＣｂ１，ＭＩＣｂ２、マスキング位置マイクＭＩＣｏ１，ＭＩＣｏ２，ＭＩＣｏ３、スピーカＳＰ１，ＳＰ２，ＳＰ３、表示部４０Ａ，４０Ｂを備える。
【００７１】
話者位置マイクＭＩＣｂ１は、カウンター９００のテーブル９０１Ａ上に設置されており、本体２Ａに接続されている。話者位置マイクＭＩＣｂ１は、特定話者９１０Ａ，９２０Ａの会話を収音し、話者位置音声信号Ｓｂ１を本体２Ａへ出力する。
【００７２】
話者位置マイクＭＩＣｂ２は、カウンター９００のテーブル９０１Ｂ上に設置されており、本体２Ａに接続されている。話者位置マイクＭＩＣｂ２は、特定話者９１０Ｂ，９２０Ｂの会話を収音し、話者位置音声信号Ｓｂ２を本体２Ａへ出力する。
【００７３】
スピーカＳＰ１，ＳＰ２，ＳＰ３は、カウンター９００の近傍に設置されており、本体２Ａに接続されている。スピーカＳＰ１，ＳＰ２，ＳＰ３は、調整後のマスカ音信号Ｓｍｏを放音する。この際、スピーカＳＰ１，ＳＰ２，ＳＰ３は、調整後マスカ音信号Ｓｍｏを、複数の第三者９３０が在席する領域を含むマスキングを行いたい領域に向けて放音する。
【００７４】
マスキング位置マイクＭＩＣｏ１，ＭＩＣｏ２，ＭＩＣｏ３は、複数の第三者９３０の在席する領域を含むマスキングを行いたい領域内に、適宜間隔を置いて設置されており、それぞれ本体２Ａに接続されている。マスキング位置マイクＭＩＣｏ１，ＭＩＣｏ２，ＭＩＣｏ３は、それぞれに設置領域での音を収音し、マスキング位置音声信号Ｓｏ１，Ｓｏ２，Ｓｏ３を本体２Ａへ出力する。
【００７５】
表示部４０Ａ，４０Ｂは、表示灯や液晶ディスプレイ等から構成され、本体２Ａに接続されている。表示部４０Ａ，４０Ｂは、後述する方法で判定されたマスキング効果に応じて個別に点灯や特定の表示を行う。なお、表示部４０Ａ，４０Ｂも話者位置マイクＭＩＣｂ１，ＭＩＣｂ２のそれぞれと一体型であっても構わない。
【００７６】
次に、マスキング効果の判定を行う本体２Ａの構成について説明する。図９に示すように、本体２Ａは、本発明の「マスカ音測定装置」に対応するマスカ音測定部１０Ａ、マスカ音生成部２０、マスカ音記憶部２１、およびマスカ音調整部３０Ａを備える。マスカ音生成部２０およびマスカ音記憶部２１は、第１の実施形態と同じであるので、説明は省略する。なお、マスカ音生成部２０からの原マスカ音Ｓｍは、適応型フィルタ１１２Ａ，１１２Ｂ，１１２Ｃへ出力される。
【００７７】
マスカ音測定部１０Ａは、適応型フィルタ１１１Ａ，１１１Ｂ，１１１Ｃ，１１１Ｄ，１１１Ｅ，１１１Ｆ，１１２Ａ，１１２Ｂ，１１２Ｃ、ポストプロセッサ１２１Ａ，１２１Ｂ，１２１Ｃ，１２１Ｄ，１２１Ｅ，１２１Ｆ，１２２Ａ，１２２Ｂ，１２２Ｃ、音声分析部１３０Ａを備える。
【００７８】
適応型フィルタ１１１Ａは、本発明の「第１適応型フィルタ」に対応し、話者位置音声信号Ｓｂ１が入力される。ポストプロセッサ１２１Ａは、本発明の「第１ポストプロセッサ」に対応し、マスキング位置音声信号Ｓｏ１が入力される。ポストプロセッサ１２１Ａは、適応型フィルタ１１１Ａでフィルタ処理された話者位置音声信号Ｓｂ１（話者音声信号Ｓｂｃ１Ａに相当）を、マスキング位置音声信号Ｓｏ１から減算し、第１減算信号Ｓｎ１１を出力する。この第１減算信号Ｓｎ１１は、ポストプロセッサ１２１Ｂに入力されるとともに、適応型フィルタ１１１Ａへフィードバックされる。
【００７９】
適応型フィルタ１１１Ａは、このように算出された話者音声信号Ｓｂｃ１Ａ（本発明の「判定用話者音声」に対応する。）を、上述のようにポストプロセッサ１２１Ａへ出力するとともに、音声分析部１３０Ａへ出力する。
【００８０】
このように、上述の構成からなる適応型フィルタ１１１Ａとポストプロセッサ１２１Ａとを用いることで、マスキングすべき領域のマスキング位置マイクＭＩＣｏ１に到達した話者音声信号Ｓｂｃ１Ａを抽出することができる。なお、これら適応型フィルタ１１１Ａとポストプロセッサ１２１Ａとが本発明の「判定話者音声抽出部」に対応する。
【００８１】
適応型フィルタ１１１Ｂは、本発明の「第１適応型フィルタ」に対応し、話者位置音声信号Ｓｂ２が入力される。ポストプロセッサ１２１Ｂは、本発明の「第１ポストプロセッサ」に対応し、第１減算信号Ｓｎ１１が入力される。ポストプロセッサ１２１Ｂは、適応型フィルタ１１１Ｂでフィルタ処理された話者位置音声信号Ｓｂ２（話者音声信号Ｓｂｃ２Ａに相当）を、第１減算信号Ｓｎ１１から減算し、第２減算信号Ｓｎ１２を出力する。この第２減算信号Ｓｎ１２は、ポストプロセッサ１２２Ａに入力されるとともに、適応型フィルタ１１１Ｂへフィードバックされる。
【００８２】
適応型フィルタ１１１Ｂは、このように算出された話者音声信号Ｓｂｃ２Ａ（本発明の「判定用話者音声」に対応する。）を、上述のようにポストプロセッサ１２１Ｂへ出力するとともに、音声分析部１３０Ａへ出力する。
【００８３】
このように、上述の構成からなる適応型フィルタ１１１Ｂとポストプロセッサ１２１Ｂとを用いることで、マスキングすべき領域のマスキング位置マイクＭＩＣｏ１に到達した話者音声信号Ｓｂｃ２Ａを抽出することができる。なお、これら適応型フィルタ１１１Ｂとポストプロセッサ１２１Ｂとが本発明の「判定話者音声抽出部」に対応する。
【００８４】
適応型フィルタ１１２Ａは、本発明の「第２適応型フィルタ」に対応し、原マスカ音信号Ｓｍが入力される。
【００８５】
ポストプロセッサ１２２Ａは、本発明の「第２ポストプロセッサ」に対応し、ポストプロセッサ１２１Ｂからの第２減算信号Ｓｎ１２が入力される。ポストプロセッサ１２２Ａは、適応型フィルタ１１２Ａでフィルタ処理された原マスカ音信号Ｓｍを、第２減算信号Ｓｎ１２から減算し、第３減算信号Ｓｎ１３を出力する。この第３減算信号Ｓｎ１３は、適応型フィルタ１１２Ａへフィードバックされる。
【００８６】
適応型フィルタ１１２Ａは、このように算出されたマスカ音信号Ｓｍｃ１（本発明の「判定用マスカ音」に対応する。）を、音声分析部１３０Ａへ出力する。
【００８７】
このように、上述の構成からなる適応型フィルタ１１２Ａとポストプロセッサ１２２Ａとを用いることで、マスキングすべき領域のマスキング位置マイクＭＩＣｏ１に到達したマスカ音信号Ｓｍｃ１を抽出することができる。なお、これら適応型フィルタ１１２Ａとポストプロセッサ１２２Ａとが本発明の「判定マスカ音抽出部」に対応する。
【００８８】
適応型フィルタ１１１Ｃは、本発明の「第１適応型フィルタ」に対応し、話者位置音声信号Ｓｂ１が入力される。ポストプロセッサ１２１Ｃは、本発明の「第１ポストプロセッサ」に対応し、マスキング位置音声信号Ｓｏ２が入力される。ポストプロセッサ１２１Ｃは、適応型フィルタ１１１Ｃでフィルタ処理された話者位置音声信号Ｓｂ１（話者音声信号Ｓｂｃ１Ｂに相当）を、マスキング位置音声信号Ｓｏ２から減算し、第４減算信号Ｓｎ２１を出力する。この第４減算信号Ｓｎ２１は、ポストプロセッサ１２１Ｄに入力されるとともに、適応型フィルタ１１１Ｃへフィードバックされる。
【００８９】
適応型フィルタ１１１Ｃは、このように算出された話者音声信号Ｓｂｃ１Ｂ（本発明の「判定用話者音声」に対応する。）を、上述のようにポストプロセッサ１２１Ｃへ出力するとともに、音声分析部１３０Ａへ出力する。
【００９０】
このように、上述の構成からなる適応型フィルタ１１１Ｃとポストプロセッサ１２１Ｃとを用いることで、マスキングすべき領域のマスキング位置マイクＭＩＣｏ２に到達した話者音声信号Ｓｂｃ１Ｂを抽出することができる。なお、これら適応型フィルタ１１１Ｃとポストプロセッサ１２１Ｃとが本発明の「判定話者音声抽出部」に対応する。
【００９１】
適応型フィルタ１１１Ｄは、本発明の「第１適応型フィルタ」に対応し、話者位置音声信号Ｓｂ２が入力される。ポストプロセッサ１２１Ｄは、本発明の「第１ポストプロセッサ」に対応し、第４減算信号Ｓｎ２１が入力される。ポストプロセッサ１２１Ｄは、適応型フィルタ１１１Ｄでフィルタ処理された話者位置音声信号Ｓｂ２（話者音声信号Ｓｂｃ２Ｂに相当）を、第４減算信号Ｓｎ２１から減算し、第５減算信号Ｓｎ２２を出力する。この第５減算信号Ｓｎ２２は、ポストプロセッサ１２２Ｂに入力されるとともに、適応型フィルタ１１１Ｄへフィードバックされる。
【００９２】
適応型フィルタ１１１Ｄは、このように算出された話者音声信号Ｓｂｃ２Ｂ（本発明の「判定用話者音声」に対応する。）を、上述のようにポストプロセッサ１２１Ｄへ出力するとともに、音声分析部１３０Ａへ出力する。
【００９３】
このように、上述の構成からなる適応型フィルタ１１１Ｄとポストプロセッサ１２１Ｄとを用いることで、マスキングすべき領域のマスキング位置マイクＭＩＣｏ２に到達した話者音声信号Ｓｂｃ２Ｂを抽出することができる。なお、これら適応型フィルタ１１１Ｄとポストプロセッサ１２１Ｄとが本発明の「判定話者音声抽出部」に対応する。
【００９４】
適応型フィルタ１１２Ｂは、本発明の「第２適応型フィルタ」に対応し、原マスカ音信号Ｓｍが入力される。
【００９５】
ポストプロセッサ１２２Ｂは、本発明の「第２ポストプロセッサ」に対応し、ポストプロセッサ１２１Ｄからの第５減算信号Ｓｎ２２が入力される。ポストプロセッサ１２２Ｂは、適応型フィルタ１１２Ｂでフィルタ処理された原マスカ音信号Ｓｍを、第５減算信号Ｓｎ２２から減算し、第６減算信号Ｓｎ２３を出力する。この第６減算信号Ｓｎ２３は、適応型フィルタ１１２Ｂへフィードバックされる。
【００９６】
適応型フィルタ１１２Ｂは、このように算出されたマスカ音信号Ｓｍｃ２（本発明の「判定用マスカ音」に対応する。）を、音声分析部１３０Ａへ出力する。
【００９７】
このように、上述の構成からなる適応型フィルタ１１２Ｂとポストプロセッサ１２２Ｂとを用いることで、マスキングすべき領域のマスキング位置マイクＭＩＣｏ２に到達したマスカ音信号Ｓｍｃ２を抽出することができる。なお、これら適応型フィルタ１１２Ｂとポストプロセッサ１２２Ｂとが本発明の「判定マスカ音抽出部」に対応する。
【００９８】
適応型フィルタ１１１Ｅは、本発明の「第１適応型フィルタ」に対応し、話者位置音声信号Ｓｂ１が入力される。ポストプロセッサ１２１Ｅは、本発明の「第１ポストプロセッサ」に対応し、マスキング位置音声信号Ｓｏ３が入力される。ポストプロセッサ１２１Ｅは、適応型フィルタ１１１Ｅでフィルタ処理された話者位置音声信号Ｓｂ１（話者音声信号Ｓｂｃ１Ｃに相当）を、マスキング位置音声信号Ｓｏ３から減算し、第７減算信号Ｓｎ３１を出力する。この第７減算信号Ｓｎ３１は、ポストプロセッサ１２１Ｆに入力されるとともに、適応型フィルタ１１１Ｅへフィードバックされる。
【００９９】
適応型フィルタ１１１Ｅは、このように算出された話者音声信号Ｓｂｃ１Ｃ（本発明の「判定用話者音声」に対応する。）を、上述のようにポストプロセッサ１２１Ｅへ出力するとともに、音声分析部１３０Ａへ出力する。
【０１００】
このように、上述の構成からなる適応型フィルタ１１１Ｅとポストプロセッサ１２１Ｅとを用いることで、マスキングすべき領域のマスキング位置マイクＭＩＣｏ３に到達した話者音声信号Ｓｂｃ１Ｃを抽出することができる。なお、これら適応型フィルタ１１１Ｅとポストプロセッサ１２１Ｅとが本発明の「判定話者音声抽出部」に対応する。
【０１０１】
適応型フィルタ１１１Ｆは、本発明の「第１適応型フィルタ」に対応し、話者位置音声信号Ｓｂ２が入力される。ポストプロセッサ１２１Ｆは、本発明の「第１ポストプロセッサ」に対応し、第７減算信号Ｓｎ３１が入力される。ポストプロセッサ１２１Ｆは、適応型フィルタ１１１Ｆでフィルタ処理された話者位置音声信号Ｓｂ２（話者音声信号Ｓｂｃ２Ｃに相当）を、第７減算信号Ｓｎ３１から減算し、第８減算信号Ｓｎ３２を出力する。この第８減算信号Ｓｎ３２は、ポストプロセッサ１２２Ｃに入力されるとともに、適応型フィルタ１１１Ｆへフィードバックされる。
【０１０２】
適応型フィルタ１１１Ｆは、このように算出された話者音声信号Ｓｂｃ２Ｃ（本発明の「判定用話者音声」に対応する。）を、上述のようにポストプロセッサ１２１Ｆへ出力するとともに、音声分析部１３０Ａへ出力する。
【０１０３】
このように、上述の構成からなる適応型フィルタ１１１Ｆとポストプロセッサ１２１Ｆとを用いることで、マスキングすべき領域のマスキング位置マイクＭＩＣｏ３に到達した話者音声信号Ｓｂｃ２Ｃを抽出することができる。なお、これら適応型フィルタ１１１Ｆとポストプロセッサ１２１Ｆとが本発明の「判定話者音声抽出部」に対応する。
【０１０４】
適応型フィルタ１１２Ｃは、本発明の「第２適応型フィルタ」に対応し、原マスカ音信号Ｓｍが入力される。
【０１０５】
ポストプロセッサ１２２Ｃは、本発明の「第２ポストプロセッサ」に対応し、ポストプロセッサ１２１Ｆからの第８減算信号Ｓｎ３２が入力される。ポストプロセッサ１２２Ｃは、適応型フィルタ１１２Ｃでフィルタ処理された原マスカ音信号Ｓｍを、第８減算信号Ｓｎ３２から減算し、第９減算信号Ｓｎ３３を出力する。この第９減算信号Ｓｎ３３は、適応型フィルタ１１２Ｃへフィードバックされる。
【０１０６】
適応型フィルタ１１２Ｃは、このように算出されたマスカ音信号Ｓｍｃ３（本発明の「判定用マスカ音」に対応する。）を、音声分析部１３０Ａへ出力する。
【０１０７】
このように、上述の構成からなる適応型フィルタ１１２Ｃとポストプロセッサ１２２Ｃとを用いることで、マスキングすべき領域のマスキング位置マイクＭＩＣｏ３に到達したマスカ音信号Ｓｍｃ３を抽出することができる。なお、これら適応型フィルタ１１２Ｃとポストプロセッサ１２２Ｃとが本発明の「判定マスカ音抽出部」に対応する。
【０１０８】
音声分析部１３０Ａは、判定用の話者音声信号Ｓｂｃ１Ａ，Ｓｂｃ２Ａと判定用のマスカ音信号Ｓｍｃ１とを比較し、音量レベルの高低に基づいてマスキング効果の有無を判定する。具体的には、上述の第１の実施形態と同じ方法で判定する。これにより、マスキングすべき領域におけるマスキング位置マイクＭＩＣｏ１の地点でのマスキング効果を判定することができる。
【０１０９】
音声分析部１３０Ａは、判定用の話者音声信号Ｓｂｃ１Ｂ，Ｓｂｃ２Ｂと判定用のマスカ音信号Ｓｍｃ２とを比較し、音量レベルの高低に基づいてマスキング効果の有無を判定する。具体的には、上述の第１の実施形態と同じ方法で判定する。これにより、マスキングすべき領域におけるマスキング位置マイクＭＩＣｏ２の地点でのマスキング効果を判定することができる。
【０１１０】
音声分析部１３０Ａは、判定用の話者音声信号Ｓｂｃ１Ｃ，Ｓｂｃ２Ｃと判定用のマスカ音信号Ｓｍｃ３とを比較し、音量レベルの高低に基づいてマスキング効果の有無を判定する。具体的には、上述の第１の実施形態と同じ方法で判定する。これにより、マスキングすべき領域におけるマスキング位置マイクＭＩＣｏ３の地点でのマスキング効果を判定することができる。
【０１１１】
音声分析部１３０Ａは、これらのマスキング効果の分析結果に基づいて、マスカ音調整部３０Ａへ放音パラメータを設定する。これにより、マスキングすべき領域の全域に対して、全ての話者音声に対するマスキング効果が有効になるように、マスカ音を放音することができる。
【０１１２】
なお、第２実施形態では、話者音声が二種類、マスキング位置マイクの設置位置が三箇所の場合を示したが、それぞれが他の個数であって、上述の構成及び処理を適用し、マスキング効果の判定や、マスキング効果が有効になるようにマスカ音を自動調整することができる。
【０１１３】
また、上述の説明では、話者音声用のポストプロセッサとマスカ音用のポストプロセッサとを個別に設ける例を示したが、これらを一つに統一してもよい。これにより、構成要素数を低減することができる。また、話者音声用のポストプロセッサとマスカ音用のポストプロセッサとの接続関係を逆にしてもよい。
【０１１４】
また、上述の説明では、各ポストプロセッサからの出力信号を、それぞれ対応する適応型フィルタへフィードバックする構成を示した。しかしながら、直列に列ぶポストプロセッサ群の最終出力信号を、これらポストプロセッサ群に信号を与える適応型フィルタへフィードバックさせる構成であってもよい。具体的には、例えば、第１実施形態の場合（図２参照）、ポストプロセッサ１２１から出力された第１減算信号Ｓｎ１を適応型フィルタ１１１へフィードバックさせるのではなく、ポストプロセッサ１２２から出力された第２減算信号Ｓｎ２を、適応型フィルタ１１１，１１２へフィードバックさせる構成を用いてもよい。また、例えば、第２実施形態の場合（図９参照）、ポストプロセッサ１２１Ａから出力される第１減算信号Ｓｎ１１やポストプロセッサ１２１Ｂから出力される第２減算信号Ｓｎ１２を、それぞれ適応型フィルタ１１１Ａ，１１１Ｂへフィードバックさせるのではなく、ポストプロセッサ１２２Ａから出力された第３減算信号Ｓｎ１３を、適応型フィルタ１１１Ａ，１１１Ｂ，１２２Ａへフィードバックさせる構成を用いてもよい。
【０１１５】
また、上述の説明では、周波数成分毎に、判定用のマスカ音信号Ｓｍｃの音量レベルが適切な範囲内であるかを判定した例を示したが、全周波数帯域を含む音量レベルがマスキングに適切な範囲内であるかを判定基準としてもよい。例えば、次に示す二種類の方法等を用いればよい。
【０１１６】
（Ａ）設置された全ての話者位置マイクで収音して得られた判定用のマスカ音信号Ｓｍｃの音量レベルを平均値演算する。当該音量レベルの平均値がマスキングに適切な範囲内である場合に、マスキングされていると判定する。
【０１１７】
（Ｂ）各話者位置マイクで収音して得られた判定用のマスカ音信号Ｓｍｃの音量レベルが、それぞれにマスキングに適切な範囲内である場合に、マスキングされていると判定する。
【０１１８】
（Ｃ）各話者位置マイクで収音して得られた複数の判定用のマスカ音信号Ｓｍｃの音量レベルの内、音量レベルが最小の判定用のマスカ音信号Ｓｍｃを取得する。この最小の判定用のマスカ音信号Ｓｍｃの音量レベルが、それぞれにマスキングに必要最低限の音量レベル以上である場合に、マスキングされていると判定する。
【０１１９】
これらの方法を用いても、上述の説明と同様に、マスキング効果を確実に判定することができる。
【０１２０】
そして、音量レベルで判定を行う上述の各方法では、方法毎に、例えば次に示す方法で音量レベルを調整すればよい。
【０１２１】
（ＡＡ）上述の（Ａ）の場合、配置された全てのスピーカの放音レベルを、一律に変動させ、音量レベルの平均値がマスキングに適切な範囲内となるように調整する。
【０１２２】
（ＡＢ）上述の（Ｂ）の場合、適切な範囲に入っていないマイクに対して距離的に近いスピーカの放音レベルを変動させ、全ての判定用のマスカ音信号Ｓｍｃの音量レベルをマスキングに適切な範囲内に調整する。
【０１２３】
（ＡＣ）上述の（Ｃ）の場合、配置された全てのスピーカの放音レベルを、一律に変動させ、最小の判定用のマスカ音信号Ｓｍｃの音量レベルがマスキングに適切な範囲内となるように調整する。また、最小の判定用のマスカ音信号Ｓｍｃと判定されたマイクに対して距離的に近いスピーカの放音レベルを上昇させ、最小の判定用のマスカ音信号Ｓｍｃの音量レベルがマスキングに適切な範囲内となるように調整する。これらの場合、全ての判定用のマスカ音信号Ｓｍｃの音量レベルがマスキングに適切な範囲内となるように調整することが好ましい。
【符号の説明】
【０１２４】
１，１Ａ：サウンドマスキング装置、２，２Ａ：本体、
１０，１０Ａ：マスカ音測定部、２０：マスカ音生成部、２１：マスカ音記憶部、３０，３０Ａ：マスカ音調整部、４０，４０Ａ，４０Ｂ：表示部、
１１１，１１１Ａ，１１１Ｂ，１１１Ｃ，１１１Ｄ，１１１Ｅ，１１１Ｆ，１１２，１１２Ａ，１１２Ｂ，１１２Ｃ：適応型フィルタ、１２１，１２１Ａ，１２１Ｂ，１２１Ｃ，１２１Ｄ，１２１Ｅ，１２１Ｆ，１２２，１２２Ａ，１２２Ｂ，１２２Ｃ：ポストプロセッサ、１３０：音声分析部、３０１：イコライジング部、３０２：ボリューム調整部
９００：カウンター、９０１：テーブル、９１０，９１０Ａ，９１０Ｂ，９２０，９２０Ａ，９２０Ｂ：特定話者、９３０：第三者
ＭＩＣｂ，ＭＩＣｂ１，ＭＩＣｂ２：話者位置マイク、ＭＩＣｏ，ＭＩＣｏ１，ＭＩＣｏ２，ＭＩＣｏ３：マスキング位置マイク、ＳＰ，ＳＰ１，ＳＰ２，ＳＰ３：スピーカ
【図１】
0005673256.tif 000002
【図２】
0005673256.tif 000003
【図３】
0005673256.tif 000004
【図４】
0005673256.tif 000005
【図５】
0005673256.tif 000006
【図６】
0005673256.tif 000007
【図７】
0005673256.tif 000008
【図８】
0005673256.tif 000009
【図９】
0005673256.tif 000010